(57)【要約】【課題】  無駄な電力消費を生じることがなく、且つ、ＴＶ放送チャンネルから確実に番組情報を取得することが可能な選局動作が行えるようにする。【解決手段】  選局制御部１３は、各ＴＶ放送チャンネルにおける最初に放送される番組の放送開始時刻を時刻情報管理部１１に通知する。その時刻にアラームを送るよう時刻情報管理部１１に指令する。各ＴＶ放送チャンネルにつきアラームが送られたかチェックする。アラームを確認するとチューナ復調部３を制御して対応するＴＶ放送チャンネルからの放送電波の復調に必要な選局処理を行う。確認しなければアラームを受けるまで待機する。選局処理したＴＶ放送チャンネルの放送開始時刻をスケジュール情報から削除する。残りのＴＶ放送チャンネルの放送開始時刻の有無をチェックする。不存在を確認すると装置１００全体に対する給電を遮断する。【選択図】        図1
2005311416.tif 000002
【特許請求の範囲】
【請求項１】
各ＴＶ放送チャンネルで放送される、少なくとも放送開始時刻を含む番組情報を予め取得する番組情報取得部と、
前記番組情報取得部が取得した前記各番組情報から、各ＴＶ放送チャンネルでの放送時間帯の最初に放送される番組情報を選択する番組情報選択部と、
前記番組情報選択部により選択された各番組情報から前記放送開始時刻を抽出し、それらの放送開始時刻を各ＴＶ放送チャンネル別に対応させた放送スケジュール情報を生成する放送スケジュール情報生成部と、
前記放送スケジュール情報生成部により生成された放送スケジュール情報に基づき、各ＴＶ放送チャンネルについて前記放送開始時刻が到来する毎に所定の選局処理を行うことにより、該ＴＶ放送チャンネルからの放送番組のコンテンツを取得する選局処理部と、
を備えるＴＶ放送受信装置。
【請求項２】
請求項１記載のＴＶ放送受信装置において、
前記ＴＶ放送が、ディジタルＴＶ放送であるＴＶ放送受信装置。
【請求項３】
請求項１記載のＴＶ放送受信装置において、
前記番組情報取得部が、各ＴＶ放送チャンネルで当日に放送される、前記番組情報を含んだ多重化された放送電波から前記番組情報を抽出するＴＶ放送受信装置。
【請求項４】
請求項１記載のＴＶ放送受信装置において、
前記番組情報選択部が、前記番組情報取得部から与えられる前記各番組情報より、各ＴＶ放送チャンネルでの翌日の最初に放送される番組情報を選択するＴＶ放送受信装置。
【請求項５】
請求項１記載のＴＶ放送受信装置において、
前記放送スケジュール情報生成部が、前記放送開始時刻の比較的早い番組情報を持つＴＶ放送チャンネルの順位を高順位とし、前記放送開始時刻の比較的遅い番組情報を持つＴＶ放送チャンネルを低順位とするように、各ＴＶ放送チャンネルを並べた放送スケジュール情報を生成するＴＶ放送受信装置。
【請求項６】
請求項１乃至請求項５の何れか１項記載のＴＶ放送受信装置において、
前記選局処理部が、前記放送スケジュール情報において高順位にランク付けされているＴＶ放送チャンネルから順に前記所定の選局処理を行うようにしたＴＶ放送受信装置。
【請求項７】
請求項１記載のＴＶ放送受信装置において、
前記選局処理部が、前記放送スケジュール情報に基づいて特定のＴＶ放送チャンネルについて選局処理を行っている場合に、該選局処理を開始してから所定時間が経過するまでは、別のＴＶ放送チャンネルについて選局処理を行わないようにしたＴＶ放送受信装置。
【請求項８】
請求項１記載のＴＶ放送受信装置において、
前記選局処理部が、前記放送スケジュール情報に基づいて特定のＴＶ放送チャンネルについて選局処理を行っている場合に、前記番組情報取得部から前記番組情報選択部を通じて新たな番組情報を取得した旨の通知が与えられるまでの間、別のＴＶ放送チャンネルについて選局処理を行わないようにしたＴＶ放送受信装置。
【請求項９】
請求項１記載のＴＶ放送受信装置において、
前記選局処理部が、前記放送スケジュール情報に基づいて特定のＴＶ放送チャンネルについて選局処理を行っている場合に、該選局処理を開始してから所定時間が経過するまで、又は、前記番組情報取得部から前記番組情報選択部を通じて新たな番組情報を取得した旨の通知が与えられるまでの間、別のＴＶ放送チャンネルについて選局処理を行わないようにしたＴＶ放送受信装置。
【請求項１０】
請求項１記載のＴＶ放送受信装置において、
前記選局処理部が、前記放送スケジュール情報に基づき、何れのＴＶ放送チャンネルにおいても前記放送開始時刻が到来していないと判断した場合に、該時刻から直近の放送開始時刻までの時間が所定の時間基準値よりも長い場合に、前記選局処理のための電源の供給を遮断するようにしたＴＶ放送受信装置。
【請求項１１】
請求項１記載のＴＶ放送受信装置において、
前記選局処理部が、前記放送スケジュール情報に基づき、複数のＴＶ放送チャンネルにおいて最初に放送される番組情報の放送開始時刻が同一、又は近接していると判断した場合には、所定の順序で各ＴＶ放送チャンネルの選局を行うことにより、番組情報を順次取得するようにしたＴＶ放送受信装置。
【発明の詳細な説明】
【技術分野】
【０００１】
本発明は、テレビジョン（以下、「ＴＶ」と表記する）放送受信装置に関する。
【背景技術】
【０００２】
従来、文字多重放送等のＴＶ放送受信技術の分野において、受信可能な全ての放送局の文字多重放送を巡回受信し、所望の情報を自動収集することを目的としたデータ受信装置、及びデータ受信方法が提案されている。該提案では、位置検出装置が検出した現在位置と、記憶装置が記憶する放送局の受信可能地域に対応する情報とに基づいて、制御手段が受信可能な放送局からの放送を巡回受信し、受信した放送に多重された情報のうち、入力装置が入力した検索情報に基づいて検索された情報だけが表示装置に選択的に表示され、記憶装置に記憶される。また、検索情報に対応する情報を受信すると、スピーカから所定の音声を出力してユーザに通知する（例えば、特許文献１参照）。
【０００３】
【特許文献１】特開平9-214376号公報
【発明の開示】
【発明が解決しようとする課題】
【０００４】
ディジタルＴＶ放送においては、映像情報や音声情報などと共に、番組情報が多重化されており、この番組情報を元に電子番組表を作成することが可能である。この電子番組表は、ディジタルＴＶ放送受信装置のディスプレイ上に表示されることにより、ユーザに対し番組開始時刻や番組内容等の情報の提示を可能にするだけでなく、利便性の良い選局や番組予約の動作等をも可能にするものであるから、ディジタルＴＶ放送受信装置にとって必須の機能を備えている。そのため、電子番組表はユーザによる利用頻度も高く、またユーザが番組の視聴を開始した直後に利用される可能性も高い。
【０００５】
ところで、ディジタルＴＶ放送受信装置が、電子番組表の表示に必要な番組情報を各ＴＶ放送チャンネルから取得するには時間が掛かるため、ユーザからの表示要求に応じて即座に電子番組表をディジタルＴＶ放送受信装置のディスプレイ上に表示するには、事前に番組情報を取得しておく必要がある。BS/CSディジタルＴＶ放送では、ディジタルＴＶ放送受信装置が、1つのＴＶ放送チャンネルを選局することによって他のＴＶ放送チャンネルの番組情報も取得することができるように、夫々のＴＶ放送チャンネルにおいて全ＴＶ放送チャンネル分の番組情報が送信されている。
【０００６】
これに対して、地上ディジタルＴＶ放送においては、夫々のＴＶ放送チャンネルで個別に番組情報が送信されているため、効率良く全ＴＶ放送チャンネル分の番組情報を取得する必要がある。そこで、上述した提案が行われた。番組情報は、通常、日付の変更と共にその内容も更新されるため、日付変更時に番組情報を取得することが望ましい。しかし、深夜の時間帯にＴＶ放送を視聴するユーザは少ないから、ＴＶ放送チャンネルによっては放送が休止されている場合がある。
【０００７】
そのため、上述した提案に係るデータ受信装置において、ＴＶ放送チャンネルの選局動作を開始した時刻が放送休止時間帯に当たってしまった場合には、番組情報を取得することができないという問題が生じる。また、上述した提案に係るデータ受信装置で、放送を休止しているＴＶ放送チャンネルに対して選局動作を行うと、番組情報を取得できるまで（放送が再開されるまで）選局動作を継続することとなるので、電力を無駄に消費してしまうという問題も生じる。
【０００８】
従って本発明の目的は、無駄な電力消費を生じることがなく、且つ、ＴＶ放送チャンネルから確実に番組情報を取得することが可能な選局動作が行えるＴＶ放送受信装置を提供することにある。
【課題を解決するための手段】
【０００９】
本発明に従うＴＶ放送受信装置は、各ＴＶ放送チャンネルで放送される、少なくとも放送開始時刻を含む番組情報を予め取得する番組情報取得部と、上記番組情報取得部が取得した上記各番組情報から、各ＴＶ放送チャンネルでの放送時間帯の最初に放送される番組情報を選択する番組情報選択部と、上記番組情報選択部により選択された各番組情報から上記放送開始時刻を抽出し、それらの放送開始時刻を各ＴＶ放送チャンネル別に対応させた放送スケジュール情報を生成する放送スケジュール情報生成部と、上記放送スケジュール情報生成部により生成された放送スケジュール情報に基づき、各ＴＶ放送チャンネルについて上記放送開始時刻が到来する毎に所定の選局処理を行うことにより、そのＴＶ放送チャンネルからの放送番組のコンテンツを取得する選局処理部と、を備える。
【００１０】
本発明に係る好適な実施形態では、上記ＴＶ放送が、ディジタルＴＶ放送である。
【００１１】
上記とは別の実施形態では、上記番組情報取得部が、各ＴＶ放送チャンネルで当日に放送される、上記番組情報を含んだ多重化された放送電波から上記番組情報を抽出する。
【００１２】
また、上記とは別の実施形態では、上記番組情報選択部が、上記番組情報取得部から与えられる上記各番組情報より、各ＴＶ放送チャンネルでの翌日の最初に放送される番組情報を選択する。
【００１３】
また、上記とは別の実施形態では、上記放送スケジュール情報生成部が、上記放送開始時刻の比較的早い番組情報を持つＴＶ放送チャンネルの順位を高順位とし、上記放送開始時刻の比較的遅い番組情報を持つＴＶ放送チャンネルを低順位とするように、各ＴＶ放送チャンネルを並べた放送スケジュール情報を生成する。
【００１４】
また、上記とは別の実施形態では、上記選局処理部が、上記放送スケジュール情報において高順位にランク付けされているＴＶ放送チャンネルから順に上記所定の選局処理を行うようにしている。
【００１５】
また、上記とは別の実施形態では、上記選局処理部が、上記放送スケジュール情報に基づいて特定のＴＶ放送チャンネルについて選局処理を行っている場合に、その選局処理を開始してから所定時間が経過するまでは、別のＴＶ放送チャンネルについて選局処理を行わないようにしている。
【００１６】
また、上記とは別の実施形態では、上記選局処理部が、上記放送スケジュール情報に基づいて特定のＴＶ放送チャンネルについて選局処理を行っている場合に、上記番組情報取得部から上記番組情報選択部を通じて新たな番組情報を取得した旨の通知が与えられるまでの間、別のＴＶ放送チャンネルについて選局処理を行わないようにしている。
【００１７】
また、上記とは別の実施形態では、上記選局処理部が、上記放送スケジュール情報に基づいて特定のＴＶ放送チャンネルについて選局処理を行っている場合に、その選局処理を開始してから所定時間が経過するまで、又は、上記番組情報取得部から上記番組情報選択部を通じて新たな番組情報を取得した旨の通知が与えられるまでの間、別のＴＶ放送チャンネルについて選局処理を行わないようにしている。
【００１８】
また、上記とは別の実施形態では、上記選局処理部が、上記放送スケジュール情報に基づき、何れのＴＶ放送チャンネルにおいても上記放送開始時刻が到来していないと判断した場合に、その時刻から直近の放送開始時刻までの時間が所定の時間基準値よりも長い場合に、上記選局処理のための電源の供給を遮断するようにしている。
【００１９】
更に、上記とは別の実施形態では、上記選局処理部が、上記放送スケジュール情報に基づき、複数のＴＶ放送チャンネルにおいて最初に放送される番組情報の放送開始時刻が同一、又は近接していると判断した場合には、所定の順序で各ＴＶ放送チャンネルの選局を行うことにより、番組情報を順次取得するようにしている。
【発明の効果】
【００２０】
本発明によれば、無駄な電力消費を生じることがなく、且つ、ＴＶ放送チャンネルから確実に番組情報を取得することが可能な選局動作が行えるＴＶ放送受信装置を提供することができる。
【発明を実施するための最良の形態】
【００２１】
以下、本発明の実施の形態を、図面により詳細に説明する。
【００２２】
図１は、本発明の第１の実施形態に係るディジタルＴＶ放送受信装置の全体構成を示すブロック図である。
【００２３】
図１に示すように、ディジタルＴＶ放送受信装置１００は、放送信号入力部１と、チューナ復調部３と、多重信号分離部５と、番組情報記憶部７と、番組情報管理部９と、時刻情報管理部１１と、選局制御部１３と、を備える。
【００２４】
放送信号入力部１は、複数のディジタルＴＶ放送の基地局（中継局）（図示しない）を通じて複数のディジタルＴＶ放送局（以下、「放送局」と表記する）（図示しない）から送出される放送電波を受信して、チューナ復調部３に複数の放送信号を出力する。これらの放送信号は、例えば映像情報・音声情報・番組情報等が同時に放送される所謂多重信号であり、上記番組情報には、該番組の放送される日付け情報（以下、「放送日情報」と表記する）、放送開始時刻情報、及び放送時間の長さを示す放送時間情報が含まれる。
【００２５】
チューナ復調部３は、選局制御部１３の制御下で、放送信号入力部１より出力される複数の放送信号の中からユーザが所望する放送局の放送信号を選択するのに必要な処理（選局処理）と、該選局処理によって選択された放送信号を復調するための処理と、を実行する。多重信号分離部５は、チューナ復調部３によって復調された、上記多重信号を入力して、該多重信号から上述した映像情報、音声情報、及び番組情報を夫々分離する。多重信号分離部５は、上記分離した各情報のうちから番組情報を読み出して、これを番組情報記憶部７に出力する。
【００２６】
番組情報記憶部７は、ディジタルＴＶ放送受信装置１００が受信可能な全てのＴＶ放送チャンネルの選局が事前に行われることにより、少なくとも上記全てのＴＶ放送チャンネルに係わるチャンネル番号情報を記憶する。番組情報記憶部７の記憶領域は、これら記憶した各チャンネル番号情報別に割り当てられる。番組情報記憶部７は、多重信号分離部５から番組情報が出力されると、該番組情報を、該番組情報に対応するチャンネル番号情報に割り当てられた記憶領域に、所定の順序（例えば多重信号分離部５から番組情報記憶部７に出力された順序）に配列した状態で記憶する。上記各記憶領域に夫々記憶されている（各チャンネル毎の）各番組情報は、例えば各記憶領域が番組情報で一杯になったとき、多重信号分離部５から出力された新たな番組情報によって、該時点で最も古くなった番組情報が更新（消去）される。
【００２７】
番組情報管理部９は、番組情報記憶部７に各ＴＶ放送チャンネル別に記憶されている番組情報を、適宜な時間間隔で読み出して、それらの読み出した番組情報から、翌日の最初に放送される番組の放送開始時刻情報を抽出する。そして、それらの抽出した放送開始時刻情報を各ＴＶ放送チャンネル別に対応させた放送スケジュール情報（以下、「スケジュール情報」と表記する）を作成する。上述したように、各番組情報には、その放送日情報、その放送開始時刻情報、及びその放送時間情報が含まれている。よって、番組情報管理部９は、番組情報記憶部７から読み出した同一ＴＶ放送チャンネルにおける各番組情報が持つ放送開始時刻情報同士を比較対照することにより、或るＴＶ放送チャンネルにおける翌日の最初に放送される番組の放送開始時刻情報を抽出することができる。
【００２８】
番組情報管理部９は、上記スケジュール情報を、番組情報管理部９が備える記憶領域に、一時的に保持する。番組情報管理部９は、番組情報記憶部７から読み出した各ＴＶ放送チャンネルの番組のうちの何れかのＴＶ放送チャンネルの番組情報に変更があった場合には、該変更があった番組情報からその放送開始時刻情報を抽出する。そして、その抽出した放送開始時刻情報と上記作成済みのスケジュール情報とを比較対照することによって、新たにスケジュール情報を作成し直す必要があるか否かチェックする。このチェックの結果、新たにスケジュール情報を作成し直す必要があると判断すれば、番組情報管理部９は、上記抽出した放送開始時刻情報を用いて新たにスケジュール情報を作成し直す。番組情報管理部９は、スケジュール情報を作成する毎に、該作成したスケジュール情報を、選局制御部１３に出力する。
【００２９】
時刻情報管理部１１は、タイマとしての動作、即ち、計時動作を行う。時刻情報管理部１１は、選局制御部１３から翌日の特定時刻を指定して、該指定した時刻が到来したら通知すべき旨の指令が与えられると、該指定された時刻情報を一時的に記憶する。そして、翌日になって該時刻が到来したことを認識したとき、該時刻が到来した旨を選局制御部１３に通知する。
【００３０】
選局制御部１３は、番組情報管理部９から上記スケジュール情報が出力されると、該スケジュール情報を選局制御部１３が備える記憶領域に、一時的に保持する。選局制御部１３は、番組情報管理部９から新たなスケジュール情報が与えられると、該新たなスケジュール情報により、以前に番組情報管理部９から与えられたスケジュール情報を更新する。選局制御部１３は、記憶領域に一時的に保持しているスケジュール情報に基づき、各ＴＶ放送チャンネル毎の翌日の最初の放送開始時刻を時刻情報管理部１１に通知すると共に、該時刻が到来したらその旨を通知するよう、時刻情報管理部１１に指令を発する。
【００３１】
選局制御部１３は、時刻情報管理部１１から、何れかのＴＶ放送チャンネルについて、上記指定された時刻が到来した旨の通知を受けると、該通知に基づき、チューナ復調部３を制御して、対応するＴＶ放送チャンネルからの放送電波を復調させるのに必要な処理（選局処理）を実行する。選局制御部１３は、チューナ復調部３を制御することにより、放送信号入力部１からチューナ復調部３に出力される複数の放送信号の中からユーザが所望するＴＶ放送チャンネルの放送信号を選択するのに必要な処理（選局処理）をも実行する。
【００３２】
なお、選局制御部１３が時刻情報管理部１１から上記通知があるまでの間であって、且つ、ユーザが何れの番組も視聴していない時間帯においては、時刻情報管理部１１を除く残りの各部の駆動電源をオフにすることによって、省電力を図ることが可能である。
【００３３】
図２は、図１に記載の番組情報管理部９において作成されるスケジュール情報の構成の一例を示す図である。
【００３４】
図２（ａ）において、番組表２１は、或る年の１１月１６日から１１月１７日にかけての、各ＴＶ放送チャンネル０１、０３、０８、及び１３を通じて放送される番組情報を示している。即ち、チャンネル０１では、１１月１７日の午前５時００分に、最初の放送番組である番組０１Ａの放送が開始され、チャンネル０３では、１１月１７日の午前４時００分に、最初の放送番組である番組０３Ａの放送が開始される。また、チャンネル０８では、１１月１７日の午前１時００分に、最初の放送番組である番組０８Ｂの放送が開始され、チャンネル１３では、１１月１７日の午前３時００分に、最初の放送番組である番組１３Ａの放送が開始される。
【００３５】
図２（ａ）において、斜線が施された部分は、図１で示したディジタルＴＶ放送受信装置１００が、放送電波を受信していない時間帯（つまり、各ＴＶ放送チャンネルからの放送が休止されている時間帯）を示している。なお、番組情報管理部９は、図２（ａ）に示した番組表に基づき、各番組の内容に加えて、夫々の放送開始時刻情報、及び放送時間情報（放送時間帯情報）を把握することが可能である。
【００３６】
図２（ａ）で示した番組表２１に含まれる各ＴＶ放送チャンネル毎の番組情報に基づいて、番組情報管理部９により、図２（ｂ）に示すスケジュール情報２３が作成される。図２（ｂ）に示すように、スケジュール情報２３は、一例として、最初の番組の放送開始時刻が最も早いＴＶ放送チャンネルから順に並べられて作成される。図２で示した例では、最初の番組の放送開始時刻が最も早いチャンネルが０８であり、次が１３であり、その次が０３であり、最も遅いチャンネルが０１であるので、番組情報管理部９は、０８、１３、０３、及び０１の順で各ＴＶ放送チャンネルにおける最初に放送される番組情報の放送開始時刻情報を並べてスケジュ−ル情報２３を作成することになる。
【００３７】
図３は、図１に記載した選局制御部１３の処理動作を示すフローチャートである。
【００３８】
図３において、選局制御部１３は、番組情報管理部９からスケジュール情報、即ち、各ＴＶ放送チャンネルにおいて翌日の最初に放送される番組の放送開始時刻情報を入力すると、時刻情報管理部１１に対し、上記スケジュール情報を通知する。これと共に、選局制御部１３は、それらの時刻が到来したらその旨を通知するよう（即ち、アラームを送信するよう）時刻情報管理部１１に対し、指令を発する（ステップＳ３１）。次に、時刻情報管理部１１より、何れかのＴＶ放送チャンネルについて、上記時刻が到来した旨の通知があったかどうかチェックする（ステップＳ３２）。このチェックの結果、上記時刻が到来した旨の通知（アラーム）を受けたことを確認すると（ステップＳ３２でYES）、選局制御部１３は、該通知に基づき、チューナ復調部３を制御して、対応するＴＶ放送チャンネルからの放送電波を復調させるのに必要な処理（選局処理）を実行する（ステップＳ３３）。一方、上記チェックの結果、上記通知（アラーム）を受けていないことを確認した場合には（ステップＳ３２でNO）、選局制御部１３は、上記通知を受けるまで待機状態になる。
【００３９】
次に、選局制御部１３は、ステップＳ３３で選局処理を行ったＴＶ放送チャンネルの放送開始時刻情報を、例えば図２（ｂ）で示したスケジュール情報２３から削除する（ステップＳ３４）。そして、残りのＴＶ放送チャンネルについて、放送開始時刻情報が存在するかどうかチェックする（ステップＳ３５）。このチェックの結果、存在することを確認すると（ステップＳ３５でYES）、ステップＳ３２で示した処理動作に復帰する。一方、上記チェックの結果、残りのＴＶ放送チャンネルについて、何れのＴＶ放送チャンネルにも放送開始時刻情報が存在しないことを確認すると（ステップＳ３５でNO）、例えばディジタルＴＶ放送受信装置１００全体に対する駆動電源の供給を遮断することにより、省電力状態に移行する等の番組情報取得終了処理を実行し（ステップＳ３６）、一連の処理動作を終了する。
【００４０】
以上説明したように、本発明の第１の実施形態によれば、無駄な電力消費を生じることがなく、且つ、ＴＶ放送チャンネルから確実に番組情報を取得することが可能な選局動作が行えるＴＶ放送受信装置を提供することができる。
【００４１】
図４は、本発明の第２の実施形態に係るディジタルＴＶ放送受信装置（１００）において作成されるスケジュール情報の構成の一例を示す図である。
【００４２】
本発明の第２の実施形態に係るディジタルＴＶ放送受信装置（１００）の全体構成は、図１で示した本発明の第１の実施形態に係るディジタルＴＶ放送受信装置（１００）の全体構成と同様である。しかし、時刻情報管理部１１に、以下に説明するようなタイマ通知機能を持たせた点と、それに伴って選局制御部１３が、図３で示した処理動作と異なる処理動作を実行する点とにおいて、本発明の第２の実施形態は、上記第１の実施形態に係るディジタルＴＶ放送受信装置と相違する。
【００４３】
図４において、図４（ｂ）で示すスケジュール情報４３は、図２で示した番組表２１と同様の、図４（ａ）で示す番組表４１から作成される。番組表４１を参照して明らかなように、各ＴＶ放送チャンネル（０１〜１３）における最初の番組の放送開始時刻は、一致しているか（チャンネル０１、０３、及び０８が、１１月１７日午前４時００分）、又は、極めて近接している（チャンネル１３が、１１月１７日午前３時５５分）。よって、本変形例では、スケジュール情報４３は、図４（ｂ）に示すように、最初の番組の放送開始時刻が最も早いチャンネル１３を１番目とし、次いで放送開始時刻が一致しているチャンネル０１、０３、及び０８については、図示のように、番組０１Ａ、番組０３Ａ、及び番組０８Ａの順、即ち、チャンネル番号の小さい順に並べて作成することとした。
【００４４】
図５は、本発明の第２の実施形態に係る選局制御部（１３）の処理動作を示すフローチャートである。
【００４５】
図５に示すフローチャートは、ステップＳ５４、及びステップＳ５５で示した処理動作を有する点において、図３で示したフローチャートと相違する。その他の処理動作については、図３で示したフローチャートと同様である。なお、図５に示すフローチャートは、図４（ｂ）で示したスケジュール情報４３を用いて実行されるものとする。
【００４６】
図５において、ステップＳ５１乃至ステップＳ５３で示した処理動作は、図３においてステップＳ３１乃至ステップＳ３３で示した処理動作と同様である。
【００４７】
図４に示した例では、１１月１７日の午前３時５５分が到来すると、時刻情報管理部１１から選局制御部１３に対し、（該時刻に放送が開始される番組を持つ）ＴＶ放送チャンネル１３が放送を開始する旨の通知が与えられる（アラームが送出される）。この通知（アラーム）を受けて選局制御部１３による選局処理が開始される（ステップＳ５３）。一方、上記チェックの結果、上記通知（アラーム）を受けていないことを確認した場合には（ステップＳ５２でNO）、選局制御部１３は、上記通知を受けるまで待機状態になる。
【００４８】
上述したように選局処理を開始すると、選局制御部１３は、時刻情報管理部１１に対し、選局処理の開始直後から一定の時間が経過した後に、一定時間が経過した旨の通知（以下、「タイマ通知」と表記する）を行うよう要求を発する（ステップＳ５４）。上記一定の時間とは、例えば選局制御部１３が、任意のＴＶ放送チャンネルにおいて、上述したような番組情報の取得を完了し得るのに充分な長さを持った時間とする。ステップＳ５４で、時刻情報管理部１１に対し、上記タイマ通知の要求を発した後は、実際に時刻情報管理部１１から上記タイマ通知を受けるまでの間、選局制御部１３は待機状態となって、任意のＴＶ放送チャンネル（この場合は、ＴＶ放送チャンネル１３）における番組情報の取得処理を行う（ステップＳ５５でNO）。
【００４９】
次に、時刻情報管理部１１から上記タイマ通知を受けると（ステップＳ５５でYES）、選局制御部１３は、ステップＳ５３で選局処理を行ったＴＶ放送チャンネル（即ち、この例では、ＴＶ放送チャンネル１３）の放送開始時刻情報を、例えば図４（ｂ）で示したスケジュール情報４３から削除する（ステップＳ５６）。そして、スケジュール情報４３中に残りのＴＶ放送チャンネル（０１、０３、及び０８）について、夫々放送開始時刻情報が存在するかどうかチェックする（ステップＳ５７）。このチェックの結果、残りのＴＶ放送チャンネルについて夫々放送開始時刻情報が存在することを確認すると（ステップＳ５７でYES）、ステップＳ５２で示した処理動作に復帰する。即ち、ＴＶ放送チャンネル０１、０３、及び０８の順に、上述した番組情報の取得処理が行われる。
【００５０】
なお、上記ステップＳ５７でのチェックの結果、残りのＴＶ放送チャンネルについて、何れのＴＶ放送チャンネルにも放送開始時刻情報が存在しないことを確認すると（ステップＳ５７でNO）、例えばディジタルＴＶ放送受信装置１００全体に対する駆動電源の供給を遮断することにより、省電力状態に移行する等の番組情報取得終了処理を実行し（ステップＳ５８）、一連の処理動作を終了する。
【００５１】
以上説明したように、本発明の第２の実施形態によれば、選局処理の開始直後から一定の時間が経過するまでの間は、選局制御部１３は待機状態になるので、複数のＴＶ放送チャンネルにおいて、最初に放送される番組の放送開始時刻が同一、又は互いに近接していても、現に選局処理が行われている状態で、新たな選局処理が行われることがない。そのため、新たな選局処理によって、現に選局されているＴＶ放送チャンネルがキャンセルされることが防止されるので、複数のＴＶ放送チャンネルにおいて、番組情報の確実な取得が可能になる。
【００５２】
図６は、本発明の第３の実施形態に係るディジタルＴＶ放送受信装置の全体構成を示すブロック図である。
【００５３】
図６に示すように、本発明の第３の実施形態に係るディジタルＴＶ放送受信装置（１００）の全体構成は、図１で示した本発明の第１の実施形態に係るディジタルＴＶ放送受信装置（１００）の全体構成と同様である。しかし、選局制御部１３が番組情報管理部９に対して、番組情報取得済みの通知（以下、「番組情報取得通知」と表記する）を要求し、この要求に応じて番組情報管理部９から選局制御部１３に対して上記通知が出力されたとき、選局制御部１３が該通知に基づいて選局処理を行う点において、本発明の第３の実施形態に係るディジタルＴＶ放送受信装置は、上記第１の実施形態に係るディジタルＴＶ放送受信装置と相違する。なお、上記番組情報取得通知とは、番組情報管理部９が各ＴＶ放送チャンネルにおいて番組情報を取得したときの、選局制御部１３に対するその旨の通知を指す。
【００５４】
図７は、本発明の第３の実施形態に係る選局制御部（１３）の処理動作を示すフローチャートである。
【００５５】
図７に示すフローチャートは、ステップＳ６４、及びステップＳ６５で示した処理動作を有する点において、図３で示したフローチャートと相違する。その他の処理動作については、図３で示したフローチャートと同様である。
【００５６】
図７において、ステップＳ６１乃至ステップＳ６３で示した処理動作は、図３においてステップＳ３１乃至ステップＳ３３で示した処理動作と同様であるので、それらの詳細な説明を省略する。
【００５７】
次に、選局制御部１３は、選局処理を開始すると（ステップＳ６３）、時刻情報管理部１１に対し、選局制御部１３がチューナ復調部３を制御して選局処理を行ったＴＶ放送チャンネルの番組情報取得通知を要求する（ステップＳ６４）。ステップＳ６４で、時刻情報管理部１１に対し、上記番組情報取得通知の要求を発した後は、実際に時刻情報管理部１１から上記番組情報取得通知を受けるまでの間、選局制御部１３は待機状態となって、任意のＴＶ放送チャンネル（この場合は、ＴＶ放送チャンネル１３）における番組情報の取得処理を行う（ステップＳ６５でNO）。なお、時刻情報管理部１１から上記番号情報取得通知を受けた（ステップＳ６５でYES）後の処理動作については、図３において説明したのと同様であるので、詳細な説明を省略する。
【００５８】
以上説明したように、本発明の第３の実施形態によれば、選局制御部１３が番組情報管理部９から提供される番組情報取得通知に基づいて、選局処理当の処理動作を実行することとしたので、確実で、且つ高速な番組情報の取得が可能になる。
【００５９】
図８は、本発明の第４の実施形態に係る選局制御部の処理動作を示すフローチャートである。
【００６０】
なお、本発明の第４の実施形態に係るディジタルＴＶ放送受信装置（１００）の全体構成は、図６で示した本発明の第３の実施形態に係るディジタルＴＶ放送受信装置（１００）の全体構成と同様である。
【００６１】
図８に示すフローチャートは、ステップＳ７４、ステップＳ７５、及びステップＳ７６で示した処理動作を有する点において、図３で示したフローチャートと相違する。その他の処理動作については、図３で示したフローチャートと同様である。
【００６２】
図８において、ステップＳ７１乃至ステップＳ７３で示した処理動作は、図３においてステップＳ３１乃至ステップＳ３３で示した処理動作と同様であるので、それらの詳細な説明を省略する。
【００６３】
ステップＳ７３で選局処理を開始すると、選局制御部１３は、時刻情報管理部１１に対し、選局処理の開始直後から一定の時間が経過した後に、タイマ通知を行うよう要求を発する（ステップＳ７４）。次に、時刻情報管理部１１に対し、選局制御部１３がチューナ復調部３を制御して選局処理を行ったＴＶ放送チャンネルの番組情報取得通知を要求する（ステップＳ７５）。ステップＳ７４で、時刻情報管理部１１に対し、上記タイマ通知の要求を発し、次いで、ステップＳ７５で、時刻情報管理部１１に対し、上記番組情報取得通知の要求を発した後は、実際に時刻情報管理部１１から上記タイマ通知、又は上記番組情報取得通知を受けるまでの間、選局制御部１３は待機状態となって、任意のＴＶ放送チャンネル（この場合は、ＴＶ放送チャンネル１３）における番組情報の取得処理を行う（ステップＳ７６でNO）。なお、時刻情報管理部１１から上記タイマ通知、又は上記番号情報取得通知を受けた（ステップＳ７６でYES）後の処理動作については、図３において説明したのと同様であるので、詳細な説明を省略する。
【００６４】
以上説明したように、本発明の第４の実施形態によれば、何らかの異常事態が生じたことによってディジタルＴＶ放送受信装置が番組情報を受信できない場合には、選局制御部１３が選局処理を停止することが可能であるので、上述した第３の実施形態に比較して、駆動電力の浪費を抑制することができる。
【００６５】
図９は、本発明の第５の実施形態に係るディジタルＴＶ放送受信装置の全体構成を示すブロック図である。
【００６６】
図９に示すように、本発明の第５の実施形態に係るディジタルＴＶ放送受信装置１０４は、電源供給制御部８１を備え、電源供給制御部８１が、選局制御部１３の制御下で、チューナ復調部３への駆動電源の供給を制御する点で、上記第１の実施形態に係るディジタルＴＶ放送受信装置１００と構成が相違する。
【００６７】
ディジタルＴＶ放送受信装置１０４の残りの構成については、図１に記載のディジタルＴＶ放送受信装置１００の構成と同様である。
【００６８】
図１０は、本発明の第５の実施形態に係る選局制御部（１３）の処理動作を示すフローチャートである。
【００６９】
図１０に示すフローチャートは、ステップＳ９３、ステップＳ９４、ステップＳ９５、ステップＳ９６、及びステップＳ９７で示した処理動作を有する点において、図３で示したフローチャートと相違する。その他の処理動作については、図３で示したフローチャートと同様である。
【００７０】
図１０において、ステップＳ９１、及びステップＳ９２で示した処理動作は、図３においてステップＳ３１、及びステップＳ３２で示した処理動作と同様であるので、それらの詳細な説明を省略する。
【００７１】
時刻情報管理部１１より、何れかのＴＶ放送チャンネルについて、翌日の最初に放送される番組の放送開始時刻が到来した旨の通知（アラーム）を受けたことを確認できなかった場合には（ステップＳ９２でNO）、選局制御部１３は、以下のような処理動作を実行する。即ち、現在時刻情報、及び上述したスケジュール情報のうちから最も現在時刻情報に近い放送開始時刻（以下、「直近開始時刻」と表記する）情報を、時刻情報管理部１１から取得する（ステップＳ９３）。
【００７２】
次に、選局制御部１３は、上記現在時刻から上記直近開始時刻までの時間差（Diff）を計算して、その計算値（Diff）が一定の時間値（X）よりも大きいかどうかチェックする（ステップＳ９４）。このチェックの結果、Diff＞ｘであると判断した場合には（ステップＳ９４でYES）、選局制御部１３は、電源供給制御部８１に対し、チューナ復調部３への給電を停止すべき旨の要求を発した後（ステップＳ９５）、ステップＳ９２で示した処理動作に復帰する。一方、上記チェックの結果、Diff＞ｘでないと判断した場合には（ステップＳ９４でNO）、直ちに、ステップＳ９２で示した処理動作に復帰する。
【００７３】
時刻情報管理部１１から上記通知（アラーム）を受けたことを確認できた場合には（ステップＳ９２でYES）、選局制御部１３は、電源供給制御部８１に対し、電源供給停止要求を既に行っていたかどうかをチェックする（ステップＳ９６）。このチェックの結果、既に電源供給停止要求を行っていた場合には（ステップＳ９６でYES）、選局制御部１３は、電源供給制御部８１に対し、電源供給開始要求を行い（ステップＳ９７）、ステップＳ９８で示す処理動作に移行する。一方、上記チェックの結果、電源供給停止要求を行っていなかった場合には（ステップＳ９６でNO）、直ちにステップＳ９８で示す処理動作に移行する。
【００７４】
なお、ステップＳ９８〜ステップＳ１０１で示した個々の処理動作は、図３で示したステップＳ３３〜ステップＳ３６で示した個々の処理動作に夫々対応しているので、ステップＳ９８〜ステップＳ１０１で示した個々の処理動作に係わる詳細な説明を省略する。
【００７５】
以上説明したように、本発明の第５の実施形態によれば、一定時間以上選局処理を行う予定が無い場合には、選局制御部１３は電源供給制御部８１を制御することによってチューナ復調部３への給電を停止するようにしたので、駆動電力の浪費を抑制することができる。
【００７６】
なお、本発明の第５の実施形態では、電源供給制御部８１が電源からチューナ復調部３に供給する駆動電力のみを制御することとして説明しているが、駆動電力の制御対象となる負荷は、チューナ復調部３のみに限定されるものではない。また、例えばユーザが番組を視聴しているような場合には、電源供給制御部８１がたとえ選局制御部１３から電源供給停止の要求を受けていたとしても、電源供給制御部８１によるチューナ復調部３に対する給電停止の制御を無効にすることも可能である。
【００７７】
以上、本発明の好適な実施形態及びその変形例を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００７８】
【図１】本発明の第１の実施形態に係るディジタルＴＶ放送受信装置の全体構成を示すブロック図。
【図２】図１に記載したディジタルＴＶ放送受信装置において作成されるスケジュール情報の構成の一例を示す図。
【図３】図１に記載の選局制御部の処理動作を示すフローチャート。
【図４】本発明の第２の実施形態に係るディジタルＴＶ放送受信装置において作成されるスケジュール情報の構成の一例を示す図。
【図５】本発明の第２の実施形態に係る選局制御部の処理動作を示すフローチャート。
【図６】本発明の第３の実施形態に係るディジタルＴＶ放送受信装置の全体構成を示すブロック図。
【図７】本発明の第３の実施形態に係る選局制御部の処理動作を示すフローチャート。
【図８】本発明の第４の実施形態に係る選局制御部の処理動作を示すフローチャート。
【図９】本発明の第５の実施形態に係るディジタルＴＶ放送受信装置の全体構成を示すブロック図。
【図１０】本発明の第５の実施形態に係る選局制御部の処理動作を示すフローチャート。
【符号の説明】
【００７９】
１  放送信号入力部
３  チューナ復調部
５  多重信号分離部
７  番組情報記憶部
９  番組情報管理部
１１  時刻情報管理部
１３  選局制御部
８１  電源供給制御部
１００  ディジタルＴＶ（テレビジョン）放送受信装置
【図１】
2005311416.tif 000003
【図２】
2005311416.tif 000004
【図３】
2005311416.tif 000005
【図４】
2005311416.tif 000006
【図５】
2005311416.tif 000007
【図６】
2005311416.tif 000008
【図７】
2005311416.tif 000009
【図８】
2005311416.tif 000010
【図９】
2005311416.tif 000011
【図１０】
2005311416.tif 000012